(57)【特許請求の範囲】
【請求項１】
圧縮機、四方弁、室外熱交換器、減圧器および室内熱交換器を配管を介して順次接続してなる冷凍サイクルを備え、上記室内熱交換器の冷媒流路が上記配管から室内熱交換器を構成する第１の室内熱交換器と第２の室内熱交換器とに分割されてそれぞれ分岐接続されている空気調和機において、上記第１の室内熱交換器と第２の室内熱交換器との間の冷媒流路上に第２の四方弁と第１の開閉弁とを設置してなり、これら第２の四方弁と第１の開閉弁を選択制御することにより冷房・除湿・暖房の各運転モードに応じた室内熱交換器のパス数を得る冷媒流路を形成するようにしたことを特徴とする空気調和機。
【請求項２】
冷房運転時に第１の開閉弁を開口し、第２の四方弁を冷房運転方向に冷媒流路を形成することによって、第１の室内熱交換器と第２の室内熱交換器とを並列の２パス状態に形成したことを特徴とする請求項１に記載の空気調和機。
【請求項３】
除湿運転時に第１の開閉弁を閉鎖し、第２の四方弁を冷房運転方向に冷媒流路を形成することによって、第２の室内熱交換器のみの状態に形成したことを特徴とする請求項１に記載の空気調和機。
【請求項４】
暖房運転時に第１の開閉弁を閉鎖し、第２の四方弁を暖房運転方向に冷媒流路を形成することによって、第１の室内熱交換器と第２の室内熱交換器とを直列の１パス状態に形成したことを特徴とする請求項１に記載の空気調和機。
【請求項５】
圧縮機、四方弁、室外熱交換器、減圧器および室内熱交換器を配管を介して順次接続してなる冷凍サイクルを備え、上記室内熱交換器の冷媒流路が上記配管から室内熱交換器を構成する第１の室内熱交換器と第２の室内熱交換器とに分割されてそれぞれ分岐接続されている空気調和機において、上記第１の室内熱交換器と第２の室内熱交換器との間の冷媒流路上に第２の四方弁と第１の開閉弁とを設置してなり、かつ、第２の室内熱交換器冷房時出口と第２の四方弁との間の冷媒流路上に第２の減圧器を付加して構成し、これら第１の開閉弁と第２の四方弁および第２の減圧器を選択制御することにより冷房・除湿・暖房の各運転モードに応じた室内熱交換器のパス数を得る冷媒流路を形成するようにしたことを特徴とする空気調和機。
【請求項６】
除湿運転時に第１の開閉弁を閉鎖し、第２の四方弁を冷房運転方向に選択し、さらに第１の減圧器を開放して動作させず第２の減圧器のみ動作させることによって、第２の室内熱交換器を凝縮器として作用させたことを特徴とする請求項５に記載の空気調和機。
【請求項７】
除湿運転時に第１の開閉弁を閉鎖し、第２の四方弁を冷房運転方向に選択し、さらに第１および第２の減圧器を共に動作させることを特徴とする請求項５に記載の空気調和機。
【請求項８】
圧縮機、四方弁、室外熱交換器、減圧器および室内熱交換器を配管を介して順次接続してなる冷凍サイクルを備え、上記室内熱交換器の冷媒流路が上記配管から室内熱交換器を構成する第１の室内熱交換器と第２の室内熱交換器とに分割されてそれぞれ分岐接続されている空気調和機において、上記第１の室内熱交換器と第２の室内熱交換器との間の冷媒流路上に第２の四方弁と第１の開閉弁および第２の減圧器を設置してなり、かつ、圧縮機出口と室外熱交換器の冷房時出口とを連結する冷媒流路と、この冷媒流路上に第４の開閉弁を設置して室外熱交換器のバイパスを可能とするように構成し、冷房・除湿・暖房および除霜の各運転モードに応じた室内熱交換器のパス数を得る冷媒流路を形成するようにしたことを特徴とする空気調和機。
【請求項９】
再熱除湿運転時に第１および第４の開閉弁を閉鎖し、第１および第２の減圧器を制御して第２の室内熱交換器の再熱量を制御したことを特徴とする請求項８に記載の空気調和機。
【請求項１０】
再熱除湿運転時に第１の開閉弁を閉鎖し、第４の開閉弁を開口して室内熱交換器の再熱量を増大させたことを特徴とする請求項８に記載の空気調和機。
【請求項１１】
除霜運転時に第１の開閉弁を閉鎖し、第４の開閉弁を開口し、かつ、第１の四方弁を暖房運転方向としたことを特徴とする請求項８に記載の空気調和機。
【発明の詳細な説明】
【０００１】
【発明の属する技術分野】
この発明は、空気調和機における冷媒流路の制御に関するものである。
【０００２】
【従来の技術】
従来の空気調和機は、例えば特開平１０−８２５６７号公報に開示されている。この空気調和機は図１２及び図１３に示すように、圧縮機１、四方弁２、室外熱交換器３、減圧器４、室内熱交換器５を構成する２つに分割された第１の室内熱交換器５ａと第２の室内熱交換器５ｂ、および開閉弁６からなり、これらを配管で接続して冷媒が循環する冷凍サイクルを構成している。
【０００３】
この空気調和機は室内熱交換器５ａに連なる開閉弁６を設け、通常の冷房運転時は図１２に示すように、この開閉弁６を開いて冷媒流路を２つに分割された第１の室内熱交換器５ａと、もう一方の第２の室内熱交換器５ｂの両流路からなる２パス状態として高い出力を得ている。一方、除湿運転時には、室内熱交換器５ａ，５ｂ全体を使って運転すると、能力が大きすぎて除湿とともに室温が下がりすぎるため、図１３に示すように、開閉弁６を閉じることで室内熱交換器５ｂのみに冷媒を流し、過度な出力を防いで室温低下を抑制するようにしている。
【０００４】
【発明が解決しようとする課題】
このように、運転モードに応じて室内熱交換器５の利用する割合を開閉弁６の開閉で変更し、除湿運転時にはその割合を減らして過度な室温低下を抑制することができる。
一方、冷房と暖房では最適パス数が異なり、通常、暖房運転時は冷媒流速の速い１パス、冷房運転時は冷媒流速の遅い２パスにして運転すると効率が良い。すなわち暖房運転では室内熱交換器５全体、すなわち第１の室内熱交換器５ａと第２の室内熱交換器５ｂを直列の１パスとし、冷房運転では第１の室内熱交換器５ａと第２の室内熱交換器５ｂを２パスとして並列に用いると高い効率が得られる。
【０００５】
しかしながら、上記した従来技術では、冷房運転は室内熱交換器５ａと室内熱交換器５ｂの２パス運転は可能であるが、冷媒の流れ方向が逆転する暖房運転では、冷房運転と同じ２パス運転か、若しくは除湿運転と同じく室内熱交換器の１部である第２の熱交換器となる室内熱交換器５ｂのみに冷媒を流す運転のみが可能であり、高効率運転が可能な、室内熱交換器全体を１パスとして、すなわち第１の室内熱交換器５ａと第２の室内熱交換器５ｂとを直列に接続して運転することができないものであった。
【０００６】
この発明は、冷房運転時と除湿運転時の最適な室内熱交換器のパス数の選択のみならず、暖房運転時においても最適なパス数、すなわち暖房運転時には室内熱交換器全体を１パスとして運転することが可能な空気調和機を提供することを目的とするものである。
【０００７】
【課題を解決するための手段】
この発明の請求項１記載に係る空気調和機は、圧縮機、四方弁、室外熱交換器、減圧器および室内熱交換器を配管を介して順次接続してなる冷凍サイクルを備え、上記室内熱交換器の冷媒流路が上記配管から室内熱交換器を構成する第１の室内熱交換器と第２の室内熱交換器とに分割されそれぞれ分岐されている空気調和機において、上記第１の室内熱交換器と第２の室内熱交換器との間の冷媒流路上に第２の四方弁と第１の開閉弁とを設置してなり、この第１の開閉弁と第２の四方弁により冷房・除湿・暖房の各運転モードで、それぞれ最適な冷媒回路形状が選択できるようにしたことを特徴とするものである。
【０００８】
この発明の請求項２記載に係る空気調和機は、請求項１の空気調和機において、第１の開閉弁を開口し、第２の四方弁を冷房運転方向に冷媒流路を形成することで、冷房運転時に高効率での運転が可能な室内熱交換器のパス数を選択できるようにしたことを特徴とするものである。
【０００９】
この発明の請求項３記載に係る空気調和機は、請求項１の空気調和機において、第１の開閉弁を閉鎖し、第２の四方弁を冷房運転方向に冷媒流路を形成することで、除湿運転時に冷房能力を半減させ、過度な室温低下の防止が可能な室内熱交換器のパス数を得るようにしたことを特徴とするものである。
【００１０】
この発明の請求項４記載に係る空気調和機は、請求項１の空気調和機において、第１の開閉弁を閉鎖し、第２の四方弁を暖房運転方向に冷媒流路を形成することで、暖房運転時に高効率での運転が可能な室内熱交換器のパス数を得るようにしたことを特徴とするものである。
【００１１】
この発明の請求項５記載に係る空気調和機は、圧縮機、四方弁、室外熱交換器、減圧器および室内熱交換器を配管を介して順次接続してなる冷凍サイクルを備え、上記室内熱交換器の冷媒流路が上記配管から室内熱交換器を構成する第１の室内熱交換器と第２の室内熱交換器とに分割されそれぞれ分岐されている空気調和機において、上記第１の室内熱交換器と第２の室内熱交換器との間の冷媒流路上に第２の四方弁と第１の開閉弁とを設置してなり、かつ、第２の室内熱交換器冷房時出口と第２の四方弁との間の冷媒流路上に第２の減圧器を付加して構成し、これら第１の開閉弁と第２の四方弁および第２の減圧器とにより冷房・除湿・暖房の各運転モードでそれぞれ最適な冷媒回路形状が選択できるようにしたことを特徴とするものである。
【００１２】
この発明の請求項６記載に係る空気調和機は、請求項５の空気調和機において、第１の開閉弁を閉鎖し、第２の四方弁を冷房運転方向にすることで、第２の室内熱交換器を凝縮器として再熱機能を持たせ、除湿運転時における室温低下のより一層の抑制を可能とするようにしたことを特徴とするものである。
【００１３】
この発明の請求項７記載に係る空気調和機は、請求項５の空気調和機において、第１および第２の減圧器を共に動作させることで第２の室内熱交換器の再熱量を制御し、除湿運転時において冷房能力と除湿能力の制御範囲の拡大を可能とするようにしたことを特徴とするものである。
【００１４】
この発明の請求項８記載に係る空気調和機は、圧縮機、四方弁、室外熱交換器、減圧器および室内熱交換器を配管を介して順次接続してなる冷凍サイクルを備え、上記室内熱交換器の冷媒流路が上記配管から室内熱交換器を構成する第１の室内熱交換器と第２の室内熱交換器とに分割されてそれぞれ分岐接続されている空気調和機において、上記第１の室内熱交換器と第２の室内熱交換器との間の冷媒流路上に第２の四方弁と第１の開閉弁および第２の減圧器を設置してなり、かつ、圧縮機出口と室外熱交換器の冷房時出口とを連結する冷媒流路と、この冷媒流路上に第４の開閉弁を設置して室外熱交換器のバイパスを可能とするように構成してなり、冷房・除湿・暖房および除霜の各運転モードで、より高効率な運転が可能な最適な冷媒回路形状が選択できるようにしたことを特徴とするものである。
【００１５】
この発明の請求項９記載に係る空気調和機は、請求項８の空気調和機において、第１および第４の開閉弁を閉鎖し、第１および第２の減圧器を制御して第２の室内熱交換器の再熱量を制御し、再熱除湿運転時において冷房能力と除湿能力の制御範囲の拡大を可能とするようにしたことを特徴とするものである。
【００１６】
この発明の請求項１０記載に係る空気調和機は、請求項８の空気調和機において、第１の開閉弁を閉鎖し、第４の開閉弁を開口して室内熱交換器の再熱量を増大させ、再熱除湿運転時において除湿量を保つたまま室温低下のより一層の制御を可能とするようにしたことを特徴とするものである。
【００１７】
この発明の請求項１１記載に係る空気調和機は、請求項８の空気調和機において、第１の開閉弁を閉鎖して第４の開閉弁を開口し、かつ、第１の四方弁を暖房運転方向とすることで、除霜運転時において除霜運転時間の短縮を可能とするようにしたことを特徴とするものである。
【００１８】
【発明の実施の形態】
図１から３は、いずれもこの発明の前提となる空気調和機の冷媒回路図を示すものである。これらの各図において、空気調和機は圧縮機１を備え、この圧縮機にはメインの冷媒流路である配管１２を介して、この配管を冷房運転用と暖房運転用とに切換える四方弁２、室外熱交換器３、減圧器４および室内熱交換器５が順次接続され、これらにより冷凍サイクルが構成されている。すなわち、冷房運転時には、室外熱交換器３→減圧器４→室内熱交換器５→圧縮機１へと冷媒が流れ、暖房運転時には、室内熱交換器５→減圧器４→室外熱交換器３→圧縮機１へと冷媒が流れる。
【００１９】
また、室内熱交換器５は第１の室内熱交換器５ａと第２の室内熱交換器５ｂに分割されそれぞれ分岐接続して構成されており、第１の室内熱交換器５ａの冷房時入口には第１の開閉弁６を備え、第２の室内熱交換器５ｂの冷房時出口には第２の開閉弁８を備えるとともに、一方が上記第１の開閉弁６と第１の室内熱交換器５ａとの間から分岐し、他方が第２の開閉弁と第２の室内熱交換器５ｂとの間に配置される冷媒流路を設置し、この冷媒流路上に第３の開閉弁７を設置する形で構成されている。
【００２０】
そして、上記した第１の開閉弁６、第２の開閉弁８および第３の開閉弁７を選択制御することにより冷房・除湿・暖房の各運転モードにおいてそれぞれ最適な室内熱交換器のパス数を得る冷媒回路を形成するように構成しているものである。
【００２１】
まず、図１において、第１の開閉弁６と第２の開閉弁８を開口し第３の開閉弁７を閉鎖状態に制御する。この状態においては冷房運転時は圧縮機１を出た冷媒は四方弁２を通って室外熱交換器３で凝縮される。次に減圧器４で減圧された後、一部は開閉弁６を経て第１の室内熱交換器５ａで蒸発し圧縮機１に戻り、残りは第２の室内熱交換器５ｂで蒸発して開閉弁８を経て圧縮機１に戻る。なお、開閉弁７は閉鎖の状態としており、このため分割された２つの室内熱交換器５ａ，５ｂは冷媒の流れに対して並列に接続された構成となる。
以上のように開閉弁６と開閉弁８を開口し開閉弁７を閉鎖することで、冷房運転時は室内熱交換器５ａおよび５ｂは並列に、すなわち２パスの状態となり、高効率での冷房運転の実現が可能となる。
【００２２】
また、除湿運転時においては図２に示すように第１の開閉弁６と第３の開閉弁７を閉鎖し、第２の開閉弁８を開口状態に制御する。この状態においては減圧機４を経た冷媒は第２の室内熱交換器５ｂにのみ流れて蒸発し、第１の室内熱交換器５ａには流れない。よって冷房能力は半減され、過度な室温低下を防ぐことが可能となる。
【００２３】
さらに、暖房運転時においては、図３に示すように四方弁２を回転させて冷媒の流れ方向を逆転させると共に第１の開閉弁６と第２の開閉弁８を閉鎖し、第３の開閉弁７を開口状態に制御する。この状態においては圧縮機１を出た冷媒は四方弁２を経たのち、まず第１の室内熱交換器５ａに流れ、第３の開閉弁７を経由して第２の室内熱交換器５ｂを経たのち減圧機４に至り、室外熱交換器３で蒸発して四方弁２を経由して圧縮機１に戻る。すなわち、冷媒の凝縮は第１の室内熱交換器５ａと第２の室内熱交換器５ｂとを直列に接続した形の室内熱交換器全体で１パスとして行われ、高効率での暖房運転の実現が可能となる。
【００２４】
実施の形態１．
図４から図６は、いずれもこの発明の実施の形態１における空気調和機の冷媒回路図を示すものである。これらの図においては前述したこの発明の前提となる冷媒回路において３個ある開閉弁を、１個の開閉弁と１個の四方弁に置き換えて同等の効果を実現するようにしたものである。すなわち、開閉弁６，７，および８に換えて開閉弁６と第２の四方弁９で構成したもので、より低コストで、かつ省スペースを実現しつつこの発明の前提となる冷媒回路と同等の効果を上げることが可能となる。なお図中で同じ番号をつけた構成部品は全て図１から図３と同じ部品を示す。
【００２５】
まず、図４において、冷房運転時は開閉弁６を開いて第２の四方弁９を図の向きに設定することで、減圧器４を経た冷媒は室内熱交換器５ａと５ｂに分岐して流れそれぞれで蒸発し、再び合流して第１の四方弁２を経由して圧縮機１に戻る。すなわち前述したこの発明の前提となる冷媒回路と同様に冷媒回路は室内熱交換器５ａ及び５ｂは並列に、すなわち２パスの状態となり、高効率での冷房運転の実現が可能となる。
【００２６】
また、除湿運転時においては図５に示すように開閉弁６を閉鎖することで、減圧器４を経た冷媒は第２の室内熱交換器５ｂのみに流れて蒸発し、第１の室内熱交換器５ａには流れない。従って前述したこの発明の前提となる冷媒回路と同様に室内熱交換器５の半分のみ、すなわち第２の室内熱交換器５ｂのみ使用することになり、冷房能力を半減して過度な室温低下を防ぐことが可能となる。
【００２７】
さらに、暖房運転時においては図６に示すように、第１の四方弁２を回転させて冷媒の流れ方向を逆転させると共に、開閉弁６を閉じて第２の四方弁９を回転させて冷媒の流れ方向を変更する。この制御動作によって前述したこの発明の前提となる冷媒回路と同様に冷媒の凝縮は室内熱交換器５全体、すなわち第１の室内熱交換器５ａと第２の室内熱交換器５ｂとを直列とした１パスとして行われ、高効率での暖房運転の実現が可能となる。
【００２８】
実施の形態２．
図７はこの発明の実施の形態２における空気調和機の冷媒回路図で、除湿運転時を示している。これは前述した実施の形態１の構成に更に第２の減圧器１０を付加したものであり、より低コストでかつ省スペースを実現しつつ、実施の形態１の冷媒回路と同等以上の効果を上げることが可能となる。なお図中で同じ番号をつけた構成部品は全て前述した図４乃至図６と同じ構成部品を示す。
【００２９】
まず、除湿運転時は図７に示すように、開閉弁６や第２の四方弁９の動作は前述した実施の形態１と同等である。この実施の形態において第１の減圧器４は動作させずに第２の減圧器１０のみ動作させる。従って室外熱交換器３と第２の室内熱交換器５ｂが凝縮器として作用し、第１の室内熱交器５ａが蒸発器として作用する。すなわち室内空気は第１の室内熱交換器５ａで冷却・除湿され、第２の室内熱交換器５ｂによって加熱されることで、前述した実施の形態１における冷媒回路の除湿運転よりも、室温の低下をより抑制することが可能となる。
さらにこの実施の形態において、減圧器４および第２の減圧器１０を共に減圧機能させることで、第２の室内熱交換器５ｂの再熱量を制御し、冷房能力と除湿能力の制御範囲をより拡大することが可能となる。
【００３０】
次にこの実施の形態２における効果を図８を用いて説明する。冷房能力には顕熱と潜熱が含まれるが、室温を下げるのはそのうち顕熱分であり、除湿を行うのが潜熱分である。図８に示すグラフは横軸を冷房能力のうちの顕熱分を示し、縦軸を潜熱分に相当する除湿量を示している。
通常の冷房運転においては図８に示すように高い顕熱範囲で運転されており、ある程度除湿もされるが、除湿が主目的の場合も当然の事ながら顕熱分の能力によって室温は低下する。この発明の実施の形態１に基づいた空気調和機では、室内熱交換器の一部のみ使用することで、ある程度顕熱分の能力が下がり、図８の「実施の形態１における除湿運転」として示すような範囲で制御される。
【００３１】
前述したように、実施の形態２における空気調和機は、室内熱交換機の一部を再熱器として運転するため、除湿量は維持したまま顕熱分の冷房能力は大幅に下がる。また第１の減圧器４と第２の減圧器１０の減圧機能を調節することで、第２の室内熱交換器５ｂの再熱量を制御し、より広い範囲での制御が可能となり、図８に示すように、通常冷房における制御範囲からほとんど連続的に制御範囲を拡大することができる。
【００３２】
実施の形態３．
図９から図１１はこの発明の実施の形態３における空気調和機の冷媒回路図を示したものである。これらの図においては前述の実施の形態２における冷媒回路の圧縮機１出口と室外熱交換器３冷房時出口を接続する冷媒流路を設置し、この流路上に第４の開閉弁１１を設置している。この第４の開閉弁１１の制御によって、室外熱交換器３のオンオフを自由に選択する事ができ、冷房・除湿・暖房及び除霜運転それぞれを、より高効率な運転が可能な回路パターンを選択することが可能となる。なお、通常再熱除湿運転時は図９に示すように、第４の開閉弁１１は閉鎖し、第２の減圧器１０を制御することによって、第２の室内熱交換器５ｂにおける再熱量の制御範囲のより一層の拡大が可能となる。
【００３３】
また、再熱除湿運転時には、図１０に示すように第４の開閉弁１１を開口する。これにより室外熱交換器３をバイパスした冷媒は第２の室内熱交換器５ｂで凝縮するので、第２の室内熱交換器５ｂの再熱量は図９の運転時より大きくなり、再熱量の制御範囲を拡大し、更に広い範囲に対応した除湿運転が可能となる。
【００３４】
さらに、除霜運転時は図１１に示すように第４の開閉弁１１を開き、圧縮機１から出た高温冷媒を室外熱交換器３の除霜に用いる。これによって除霜運転時間の短縮が可能となる。
【００３５】
なお、上述したこの発明の実施の形態１〜３において、開閉弁や四方弁、圧縮機の制御や、更に図示していないが室内・室外熱交換器の送風ファン等の制御によって、除湿量の制御が可能である。さらに、実施の形態２に記述したように第１の減圧器と第２の減圧器との切換え、また実施の形態３に記述したように、第４の開閉弁１１と第２の減圧器１０を制御することにより第２の室内熱交換器における再熱量の制御範囲変更も可能であるため、室内湿度を検知して除湿量を制御する事が考えられる。例えば湿度検知手段を設けて必要除湿量を算出し、必要冷房能力を加味して、両減圧器を制御しても良いし、更に直接湿度を検知しなくても、室温と冷媒の蒸発温度から湿度を推論するなど、間接的に湿度を知る事も可能である。いずれにしてもこの発明は湿度の検知手段を限定するものではない。
【００３６】
【発明の効果】
請求項１に記載の発明によれば、冷房・除湿・暖房の各運転モードでそれぞれ最適な冷媒回路形状の選択が可能となり、しかもより低コストでかつ省スペースで実現可能となる。
【００３７】
請求項２に記載の発明によれば、請求項１の空気調和機において高効率での冷房運転が可能となる。
【００３８】
請求項３に記載の発明によれば、請求項１の空気調和機において除湿運転時に過度な室温低下の防止が可能となる。
【００３９】
請求項４に記載の発明によれば、請求項１の空気調和機において高効率での暖房運転が可能となる。
【００４０】
請求項５に記載の発明によれば、請求項１の空気調和機において冷房・除湿・暖房の各運転モードの選択を可能とし、更に除湿運転の制御範囲拡大が可能となる。
【００４１】
請求項６に記載の発明によれば、請求項５の空気調和機において、除湿運転時に室温低下のより一層の抑制が可能となる。
【００４２】
請求項７に記載の発明によれば、請求項５の空気調和機において、除湿運転時に冷房能力と除湿能力の制御範囲の拡大が可能となる。
【００４３】
請求項８に記載の発明によれば、請求項５の空気調和機において、室外熱交換器のバイパスを可能とし、冷房・除湿・暖房及び除霜運転それぞれについて、より高効率な運転が可能な回路パターンを選択することが可能となる。
【００４４】
請求項９に記載の発明によれば、請求項８の空気調和機において、再熱除湿運転時に冷房能力と除湿能力の制御範囲の拡大が可能となる。
【００４５】
請求項１０に記載の発明によれば、請求項８の空気調和機において、再熱除湿運転時に除湿量を保ったまま室温低下のより一層の制御が可能となる。
【００４６】
請求項１１に記載の発明によれば、請求項８の空気調和機において、除霜運転時間の短縮が可能となる。
【図面の簡単な説明】
【図１】  この発明の前提となる冷房運転時の選択した冷媒回路図である。
【図２】  この発明の前提となる除湿運転時の選択した冷媒回路図である。
【図３】  この発明の前提となる暖房運転時の選択した冷媒回路図である。
【図４】  この発明の実施形態１における冷房運転時の選択した冷媒回路図である。
【図５】  この発明の実施形態１における除湿運転時の選択した冷媒回路図である。
【図６】  この発明の実施形態１における暖房運転時の選択した冷媒回路図である。
【図７】  この発明の実施形態２における除湿運転時の選択した冷媒回路図である。
【図８】  この発明の実施形態２における除湿運転時の効果を示すグラフである。
【図９】  この発明の実施形態３における再熱除湿運転時の選択した冷媒回路図である。
【図１０】  この発明の実施形態３における除湿運転時の選択した冷媒回路図である。
【図１１】  この発明の実施形態３における除霜運転時の選択した冷媒回路図である。
【図１２】  従来の空気調和機の、冷房及び暖房運転時の冷媒回路図である。
【図１３】  従来の空気調和機の、除湿運転時の冷媒回路図である。
【符号の説明】
１  圧縮機、  ２  四方弁、  ３  室外熱交換機、  ４  減圧器、  ５  室内熱交換器、  ５ａ  第１の室内熱交換器、  ５ｂ  第２の室内熱交換器、  ６  第１の開閉弁、  ７  第３の開閉弁、  ８  第２の開閉弁、  ９  第２の四方弁、  １０  第２の減圧器、  １１  第４の開閉弁、  １２  配管、
【図１】
0003884591.tif 000002
【図２】
0003884591.tif 000003
【図３】
0003884591.tif 000004
【図４】
0003884591.tif 000005
【図５】
0003884591.tif 000006
【図６】
0003884591.tif 000007
【図７】
0003884591.tif 000008
【図８】
0003884591.tif 000009
【図９】
0003884591.tif 000010
【図１０】
0003884591.tif 000011
【図１１】
0003884591.tif 000012
【図１２】
0003884591.tif 000013
【図１３】
0003884591.tif 000014